(57)【要約】【課題】従来、例えば、利用者がサーバーに格納するコンテンツの場合、多くのプロバイダーでは、開設するホームページの容量に応じて、ある一定の容量までは無料とし、それ以上の容量や、サービスを利用する場合には有料としているのが一般的であった。そして、その料金は利用するサーバーの容量と、利用するサービスの種類にもとづいて決定されていた。【解決手段】レンタルサーバーの利用者がレンタルサーバーに格納するコンテンツに広告主による広告等情報を付加し、利用者がその広告に対してダウンロードまたはダウンロードされた広告等情報に記載された商品／サービスの購入をするなどのアクションを取ることによりレンタル料の削減を実現することを目的とする。【選択図】  図１
2009080602.tif 000002
【特許請求の範囲】
【請求項１】
インターネットの通信回線を介してコンテンツを格納するサーバーと、前記サーバーを利用する利用者端末と、前記サーバーをレンタルするレンタル料金を前記利用者端末に請求する管理者端末とを備えたレンタルサーバーシステムで、前記管理者端末は、前記コンテンツに広告主等情報元の広告等情報を付加する手段と、前記広告等情報に掲載されたホームページアドレスにアクセスされてホームページがダウンロードされ、前記ホームページ上の商品乃至はサービスが購入される購入情報を前記ホームページより受信する手段と、前記利用者端末にレンタルした前記サーバーが使用されたレンタル料情報と前記購入情報とに基づく前記サーバーのレンタル料割引情報とに基づいてレンタル料を算出するレンタル料算出手段と、前記利用者端末に前記レンタル料を請求する請求情報を送信する送信手段とを備えたレンタルサーバーシステム。
【請求項２】
前記レンタル料情報は前記サーバーの使用時間当たりのレンタル料と前記サーバーの使用時間とに基づいて演算される請求項１に記載のレンタルサーバーシステム。
【請求項３】
前記割引情報はさらに前記ホームページをダウンロードした回数に基づく情報を含む請求項１に記載のレンタルサーバーシステム。
【請求項４】
前記購入情報は前記広告等情報を閲覧する閲覧者端末及び前記利用者端末より前記ホームページで掲載された前記商品乃至は前記サービスが購入される情報である請求項１に記載のレンタルサーバーシステム。
【請求項５】
前記レンタル料情報の金額がレンタル料割引情報の金額より少ない場合はその差額は前記利用者端末に与えられる請求項１に記載のレンタルサーバーシステム。
【請求項６】
前記レンタル料情報の金額が前記レンタル料割引情報の金額以下の場合は前記レンタル料は無料とする請求項１に記載のレンタルサーバーシステム。
【発明の詳細な説明】
【技術分野】
【０００１】
本発明は、サーバーをレンタルするためのレンタルサーバーシステムに関する。
【背景技術】
【０００２】
従来、例えば、利用者がサーバーに格納するコンテンツの場合、多くのプロバイダーでは、開設するホームページの容量に応じて、ある一定の容量までは無料とし、それ以上の容量や、サービスを利用する場合には有料としているのが一般的である。そして、その料金は利用するサーバーの容量と、利用するサービスの種類にもとづいて決定されている。
【０００３】
しかしながら、下記の特許文献１において、サーバーをレンタルするレンタルサーバー利用料金の決定に際し、サーバー上にレンタルする記憶領域の大きさにもとづいて課金するのではなく、レンタル領域へのアクセスにより発生するデータ転送量にもとづいて課金を行うことにより、費用効果の計りやすい、実情にあったレンタル利用料金の請求を可能とするものである。
【０００４】
【特許文献１】特開２００２−３４２５００号公報
【発明の開示】
【発明が解決しようとする課題】
【０００５】
前述の背景技術で述べた例では利用者がレンタルしたサーバーにコンテンツを格納する場合にサーバーの保有者が利用者に課金する場合、ある一定容量まで無料であるものもあるが、ある一定容量を越すとレンタル料を徴収されるので利用者にとって負担となる。またサーバー側にとってどんなサーバー利用者に対してもサーバーの使用料を無料にするのは、サーバーをレンタルするのに有効な方法でない。
【０００６】
本発明は、このような従来のレンタルサーバーが有していた課題を解決しようとするものであり、利用者がレンタルサーバーに格納するコンテンツに広告等情報主による広告等情報を付加し、利用者がその広告等情報に対して閲覧、広告等情報に記載された商品／サービスの購入等のアクションを取ることによりレンタル料の削減に供することを目的とする。
【課題を解決するための手段】
【０００７】
本発明の請求項１は、インターネットの通信回線を介してコンテンツを格納するサーバーと、前記サーバーを利用する利用者端末と、前記サーバーをレンタルするレンタル料金を前記利用者端末に請求する管理者端末とを備えたレンタルサーバーシステムで、前記管理者端末は、前記コンテンツに広告主等情報元の広告等情報を付加する手段と、前記広告等情報に掲載されたホームページアドレスにアクセスされてホームページがダウンロードされ、前記ホームページ上の商品乃至はサービスが購入される購入情報を前記ホームページより受信する手段と、前記利用者端末にレンタルした前記サーバーが使用されたレンタル料情報と前記購入情報とに基づく前記サーバーのレンタル料割引情報とに基づいてレンタル料を算出するレンタル料算出手段と、前記利用者端末に前記レンタル料を請求する請求情報を送信する送信手段とを備えたレンタルサーバーシステムを提供するものである。
【０００８】
本発明の請求項２は、前記レンタル料情報は前記サーバーの使用時間当たりのレンタル料と前記サーバーの使用時間とに基づいて演算される請求項１に記載のレンタルサーバーシステムを提供するものである。
【０００９】
本発明の請求項３は、前記割引情報はさらに前記ホームページをダウンロードした回数に基づく情報を含む請求項１に記載のレンタルサーバーシステムを提供するものである。
【００１０】
本発明の請求項４は、前記購入情報は前記広告等情報を閲覧する閲覧者端末及び前記利用者端末より前記ホームページで掲載された前記商品乃至は前記サービスが購入される情報である請求項１に記載のレンタルサーバーシステムを提供するものである。
【００１１】
本発明の請求項５は、前記レンタル料情報の金額がレンタル料割引情報の金額より少ない場合はその差額は前記利用者端末に与えられる請求項１に記載のレンタルサーバーシステムを提供するものである。
【００１２】
本発明の請求項６は、前記レンタル料情報の金額が前記レンタル料割引情報の金額以下の場合は前記レンタル料は無料とする請求項１に記載のレンタルサーバーシステムを提供するものである。
【発明の効果】
【００１３】
上述したように本発明のレンタルサーバーシステムは、レンタルサーバーを利用する利用者が格納したコンテンツに広告等情報主が広告等情報を付加し、その広告等情報に対して利用者が閲覧乃至はその広告に記載の商品／サービスの購入をすることによりサーバーのレンタル料の一部を削減し、さらに広告等情報の商品／サービスの購入による広告等情報の効果の代償として利用者にポイント等を付与する。
【発明を実施するための最良の形態】
【００１４】
以下、本発明の実施形態を図１〜図６に基づいて説明する。
【００１５】
図１は、本発明の第１の実施形態の概念図を示す。１は後述する管理者端末にあるサーバーのレンタル料演算装置で、２は時間使用料入力部で時間使用料は使用するコンテンツの容量により変化する。３はサーバーの使用時間入力部を示し、使用時間はサーバーをレンタルして情報を格納するなどサーバーの使用時間を示す。５は前記広告等情報に紹介された商品、サービスの購入する商品／サービス購入金額入力部を示す。レンタル料演算装置１は時間使用料入力部２から時間使用料を、使用時間入力部３から使用時間を、情報アクセス回数入力部４からアクセス回数を、商品／サービス購入金額入力部から購入金額が入力され、レンタル料演算装置１でそれぞれ金額に変換し、６で示すレンタル料出力部からレンタル料金が出力される。この図面ではレンタル料演算装置１でそれぞれの入力部からの入力値を金額に変換しているが、それぞれの入力部で金額に変換してレンタル料演算装置１に入力してもよい。
【００１６】
図１においてレンタル料演算装置１のブロックに(＋)、（−）と記載しているが、レンタル料は、時間使用料、使用時間は加算され、広告等情報アクセス回数、商品／サービス購入金額は減算され、割り引かれることを意味している。なお、後述するように広告等情報アクセス回数はコンテンツを格納した本人のみならずそのコンテンツをみた人の広告等情報アクセス回数を含み、同様に商品／サービス購入金額を含むものとする。
【００１７】
図２は本発明の第１の実施形態のブロック図を示し、７は本発明のレンタルサーバーシステムを利用する利用者端末を示し、８は、利用者端末７から９で示すインターネットを介して１０であるサーバーに格納した後述するコンテンツを閲覧する閲覧者端末を示す。１１は管理者端末を示し、本発明のレンタルサーバーシステムの全体を管理するもので、サーバー１０に利用者によってサーバー１０に格納するコンテンツ１２に広告等情報１３とホームページアドレス１３Ａの付加、ダウンロードされ表示されたホームページ１５の広告等情報の商品／サービス等１５Ａが掲載され、それを購入しようとする場合にパソコン画面上で１６で示す購入ボックスにドラッグして商品／サービス等を格納され、購入するかどうかの確認する確認釦１７をクリックされるのを管理し、不図示であるが、既に利用者または閲覧者が指定した金融機関との手続きに入り、問題がなければ正式に購入手続きが完了されるよう管理する。管理者端末１１はこれらの動きを管理し、図１で示したレンタル料演算装置１を管理し、図１で述べたようにレンタル料が演算され、管理者端末１１より利用者端末７にレンタル料の請求を行う。
【００１８】
図３は本発明の第１の実施形態の管理者端末の動作の流れを示すフローチャートである。Ｓ１で利用者端末７からコンテンツ１２がサーバー１０に格納されるのを確認する。Ｓ２で管理者端末１１がそのコンテンツに広告等情報１３を付加する。Ｓ３では、そのコンテンツの容量等から時間当たりの使用料金を決定し、時間使用料入力部２に入力する。Ｓ４で使用時間を計測し、使用時間入力部３に入力する。Ｓ５で利用者端末７乃至は閲覧者端末８より付加された広告等情報をダウンロードする。Ｓ６で、利用者端末７乃至は閲覧者端末８より商品／サービスの購入をするために購入ボックス１６に入れる。Ｓ７でこの確認ボックス１６の商品／サービスの購入を確定する。Ｓ８で示すようにレンタル料演算装置１でレンタル料金を演算し、レンタル料出力部６に出力する。Ｓ９で利用者端末７にレンタル料の請求を通達する。
【００１９】
レンタル料演算装置１では以下の式に基づいてレンタル料金を演算する。
レンタル料金Ｘは、時間使用料金をＡ、使用時間をＴ、購入料金をＤとすると、
Ｘ＝Ａ×Ｔ−Ｃ×Ｄ
ここで、Ｃは購入料金に対して割り引く比率を示す。
【００２０】
また、Ｘの値が正の値であれば利用者端末７から管理者端末１１に支払う。負の値になれば、管理者端末１１から利用者端末７に支払うことになる。
【００２１】
図４は、本発明の第２の実施形態の概念図を示す。図１に比して、レンタル料演算装置１に対して広告等情報アクセス回数入力部を付け加え、ホームページをダウンロードした回数をレンタル料金の割引として考慮し、レンタル料演算装置１では以下の式に基づいてレンタル料金を演算する。
レンタル料金Ｘは、時間使用料金をＡ、使用時間をＴ、広告等情報アクセス回数をＮ、購入料金をＤとすると、
Ｘ＝Ａ×Ｔ−Ｂ×Ｎ−Ｃ×Ｄ
ここで、Ｂは１回数当たりの金額、Ｃは購入料金に対して割り引く比率を示す。
【００２２】
図５は、本発明の第２の実施形態を示すブロック図を示す。図２に比して管理者端末１１にホームページのダウンロード回数を測定するカウンタを接続する。
【００２３】
図６は、本発明の第２の実施形態を示すフローチャートを示し、図４の実施形態を示すフローチャートである。ダウンロードは利用者端末７からだけでなくて閲覧者端末８よりダウンロードされるとＳ１０に示すようにカウントしてレンタル料金の割引を行う。ここでダウンロードして商品／サービスを購入した場合に二度レンタル料金の割引を行っているが、購入した場合にはダウンロードしたときのレンタル料金の割引を一度にしてもよい。
【図面の簡単な説明】
【００２４】
【図１】本発明の第１の実施形態を示す概念図
【図２】本発明の第１の実施形態を示すブロック図
【図３】本発明の第１の実施形態を示すフローチャート
【図４】本発明の第２の実施形態を示す概念図
【図５】本発明の第２の実施形態を示すブロック図
【図６】本発明の第２の実施形態を示すフローチャート
【符号の説明】
【００２５】
１      レンタル料演算装置
２      時間使用料入力部
３      使用時間入力部
４      広告等情報アクセス回数入力部
５      商品／サービス購入入力部
６      レンタル料出力部
７      利用者端末
８      閲覧者端末
９      インターネット
１０    サーバー
１１    管理者端末
１２    コンテンツ
１３    広告等情報
１３Ａ  ホームページアドレス
１４    カウンタ
１５    ホームページ
１５Ａ  商品／サービス
１６    購入ボックス
１７    確認釦
【図１】
2009080602.tif 000003
【図２】
2009080602.tif 000004
【図３】
2009080602.tif 000005
【図４】
2009080602.tif 000006
【図５】
2009080602.tif 000007
【図６】
2009080602.tif 000008